(57)【要約】【課題】複数系統の入力用給電線をそれぞれ複数の出力用電線に効率よく分岐する。【解決手段】第１端子列及び第２端子列は、それぞれ、互いに接続された複数の第１系統用端子と、互いに接続された複数の第２系統用端子とを有する。第１系統の２本の電線の一方は第１端子列の第１系統用端子に、他方は第２端子列の１系統用端子に接続されている。第２系統の２本の電線の一方は、第１端子列の第２系統用端子に、他方は第２端子列の２系統用端子に接続されている。第１系統の出力用給電線対の２本の電線の一方は第１端子列の第１系統用端子に、他方は、第２端子列の第１系統用端子とヒューズを介して接続された端子に接続されている。第２系統の出力用給電線対の２本の電線の一方は第１端子列の第２系統用端子に、他方は、第２端子列の第２系統用端子とヒューズを介して接続された端子に接続されている。【選択図】図２
2017092005.tif 000002
【特許請求の範囲】
【請求項１】
入力用給電線対を複数の出力用給電線対に分岐させる端子台であって、
所定数の端子が並ぶ第１端子列と、
前記所定数の端子が並ぶ第２端子列と、
前記所定数の端子が並ぶ第３端子列と
を備え、
前記第１端子列は、第１系統の前記入力用給電線対に対応して互いに接続された複数の第１系統用端子と、前記第１系統とは別の第２系統の前記入力用給電線対に対応して互いに接続された複数の第２系統用端子とを含み、
前記第２端子列は、前記第１系統の前記入力用給電線対に対応して互いに接続された複数の第１系統用端子と、前記第２系統の前記入力用給電線対に対応して互いに接続された複数の第２系統用端子とを含み、
前記第３端子列のそれぞれの前記端子は、互いに独立しているとともに、前記第２端子列の前記端子とヒューズを介してそれぞれ接続されており、
前記第１系統の前記入力用給電線対を構成する２本の電線の一方は、前記第１端子列の前記第１系統用端子に接続されており、当該２本の電線の他方は、前記第２端子列の前記１系統用端子に接続されており、
前記第２系統の前記入力用給電線対を構成する２本の電線の一方は、前記第１端子列の前記第２系統用端子に接続されており、当該２本の電線の他方は、前記第２端子列の前記２系統用端子に接続されており、
前記第１系統の複数の前記出力用給電線対のそれぞれを構成する２本の電線の一方は、前記第１端子列の前記第１系統用端子に接続されており、当該２本の電線の他方は、前記第２端子列の前記第１系統用端子と前記ヒューズを介して接続された前記第３端子列の端子にそれぞれ接続されており、
前記第２系統の複数の前記出力用給電線対のそれぞれを構成する２本の電線の一方は、前記第１端子列の前記第２系統用端子に接続されており、当該２本の電線の他方は、前記第２端子列の前記第２系統用端子と前記ヒューズを介して接続された前記第３端子列の前記端子にそれぞれ接続されている
ことを特徴とする端子台。
【請求項２】
請求項１に記載の端子台であって、
前記第１端子列において、
前記複数の第１系統用端子は、互いに隣接して配置されるとともに、導電部材によって短絡されており、
前記複数の第２系統用端子は、互いに隣接して配置されるとともに、導電部材によって短絡されており、
前記第２端子列において、
前記複数の第１系統用端子は、互いに隣接して配置されるとともに、導電部材によって短絡されており、
前記複数の第２系統用端子は、互いに隣接して配置されるとともに、導電部材によって短絡されている
ことを特徴とする端子台。
【請求項３】
請求項２に記載の端子台であって、
前記第１端子列、前記第２端子列及び前記第３端子列を一体的な筐体に配置した端子台本体と、前記ヒューズ及び前記端子台本体が実装されている配線基板とを含み、
前記配線基板には、前記第２端子列の前記端子と前記ヒューズとを接続するための配線と、前記第３端子列の前記端子と前記ヒューズとを接続するための配線とが形成されている
ことを特徴とする端子台。
【請求項４】
請求項３に記載の端子台であって、
前記端子台本体は、目視可能な台紙面を有する標識板によって覆われており、
前記台紙面は、前記端子にそれぞれ対応して区分された書き込み領域を有しており、
前記標識板は、前記配線基板と対向して配置されるとともに、前記端子台本体から突出した突出領域にて、前記配線基板に立設された柱状部材によって支持されている
ことを特徴とする端子台。
【請求項５】
請求項１〜４のいずれかに記載の端子台であって、
前記第１系統の前記入力用給電線対を構成する前記電線の一方が接続された前記第１端子列の前記第１系統用端子に、前記出力用給電線対を構成する前記電線の一方が接続されており、
前記前記第１系統の前記入力用給電線対を構成する前記電線の他方が接続された前記第２端子列の前記第１系統用端子と前記ヒューズを介して接続された前記第３端子列の前記端子に、前記出力用給電線対を構成する前記電線の他方が接続されている
ことを特徴とする端子台。
【請求項６】
内部に導入した入力用給電線対から分岐させた複数の出力用給電線対を外部に導出する接続箱であって、
筐体と、
前記筐体の内部に配置され、所定数の端子が並ぶ第１端子列と、前記所定数の端子が並ぶ第２端子列と、前記所定数の端子が並ぶ第３端子列とを備えた端子台と
を備え、
前記第１端子列は、第１系統の前記入力用給電線対に対応して互いに接続された複数の第１系統用端子と、前記第１系統とは別の第２系統の前記入力用給電線対に対応して互いに接続された複数の第２系統用端子とを含み、
前記第２端子列は、前記第１系統の前記入力用給電線対に対応して互いに接続された複数の第１系統用端子と、前記第２系統の前記入力用給電線対に対応して互いに接続された複数の第２系統用端子とを含み、
前記第３端子列のそれぞれの前記端子は、互いに独立しているとともに、前記第２端子列の前記端子とヒューズを介してそれぞれ接続されており、
前記第１系統の前記入力用給電線対を構成する２本の電線の一方は、前記第１端子列の前記第１系統用端子に接続されており、当該２本の電線の他方は、前記第２端子列の前記１系統用端子に接続されており、
前記第２系統の前記入力用給電線対を構成する２本の電線の一方は、前記第１端子列の前記第２系統用端子に接続されており、当該２本の電線の他方は、前記第２端子列の前記２系統用端子に接続されており、
前記第１系統の複数の前記出力用給電線対のそれぞれを構成する２本の電線の一方は、前記第１端子列の前記第１系統用端子に接続されており、当該２本の電線の他方は、前記第２端子列の前記第１系統用端子と前記ヒューズを介して接続された前記第３端子列の前記端子にそれぞれ接続されており、
前記第２系統の複数の前記出力用給電線対のそれぞれを構成する２本の電線の一方は、前記第１端子列の前記第２系統用端子に接続されており、当該２本の電線の他方は、前記第２端子列の前記第２系統用端子と前記ヒューズを介して接続された前記第３端子列の前記端子にそれぞれ接続されている
ことを特徴とする接続箱。
【請求項７】
請求項６に記載の接続箱であって、
光ファイバと前記出力用給電線対とを組にした複合ケーブルを前記筐体の外部に導出することを特徴とする接続箱。
【請求項８】
請求項７に記載の接続箱であって、
前記筐体は、前記所定数の端子の並ぶ方向の両端面のそれぞれに、前記光ファイバを収容した光ケーブルを挿通するための主光ケーブル用孔と、前記入力用給電線対を収容した給電ケーブルを挿通するための少なくとも２つの給電ケーブル用孔と、前記複合ケーブルを挿通するための複数の複合ケーブル用孔とを有する
ことを特徴とする接続箱。
【発明の詳細な説明】
【技術分野】
【０００１】
本発明は端子台に関する。具体的には給電線を複数に分岐させるためのヒューズ付き端子台に関する。また当該端子台を備えた接続箱にも関する。
【背景技術】
【０００２】
よく知られているように、端子台は、電線の接続、分岐、中継を行うための電気部品であり、少なくとも一方向が開口した箱状の台座に複数の端子を配置させた構造を有している。普通は、複数の端子がＭ行Ｎ列に並べられた状態で配置され、例えば８行２列（８×２）型の端子台では、１列中に８個の端子が密接して配置され、その８個の端子からなる１列分の端子列が間隙を介して２列に配置されている。そして電線は圧着端子などを用いて端子台の各端子に接続される。なお端子台は、配電盤などの設備を構成する部品として利用される場合が多ことから、また通電状態にある端子に触れて感電しないように、筐体内に収納されることが多い。
【０００３】
端子台における各端子は互いに絶縁されているものの、同じ列において互いに隣接する端子同士を導線や金属板などからなる「ジャンパー」「ショートバー」などと呼ばれる導電部材によって短絡させることができる。あるいは配線基板に実装された端子台では、基板に形成された印刷配線によって適宜な端子同士が電気的に接続されている。なお端子台用の導電部材については以下の特許文献１などに記載されている。また以下の非特許文献１には市販されている各種端子台や導電部材が掲載されている。
【０００４】
なお本発明に関連する端子台の利用形態としては、例えば、以下の特許文献２に記載されている光成端箱がある。この光成端箱は、携帯電話用の基地局から子機のアンテナに対して光信号と電力を供給するために、筐体内で光ファイバ同士及び給電線同士を接続するとともに、光ファイバと給電線とを光・メタル複合ケーブルを用いて出力している。そして入力側の１つのケーブルに対して出力側に複数の光・メタル複合ケーブルが設けられており、これら入力側の１つのケーブルと出力側の複数のケーブルとが互いに接続されて、ケーブルの分岐が行われるようになっている。
【先行技術文献】
【特許文献】
【０００５】
【特許文献１】実開昭５９−１４９３８２号公報
【特許文献２】特開２００２−３６９３６６号公報
【非特許文献】
【０００６】
【非特許文献１】サトーパーツ株式会社、”ねじ式端子台一覧”、[online]、[平成２７年１０月１４日検索]、インターネット＜ＵＲＬ：http://www.satoparts.co.jp/jp/ML/menu/ML01.html＞
【発明の概要】
【発明が解決しようとする課題】
【０００７】
上述したように、端子台は１系統の給電線（入力用給電線）を複数系統の給電線（出力用給電線）に分岐させることができる。しかしながら従来の端子台では、複数系統の入力用給電線を個別に分岐させたい場合には、複数系統の入力用給電線のそれぞれに対してその系統数分の端子台を個別に用意する必要があった。電圧が異なる複数の給電線のそれぞれを個別に分岐させたい場合も同様である。さらに従来の端子台では端子の利用効率が低くなるという問題もある。具体的には端子台を用いて１系統分の入力用給電線を複数系統に分岐し、分岐された複数系統の出力用給電線からの電力を複数の電子機器のそれぞれに供給する場合、１系統の給電線対は２本一組の電線で構成されていることから、その一方の電線と他方の電線を個別に複数の端子に分配することになる。８×２型の端子台を例に挙げると、２本一組の給電線対の一方の電線と他方の電線を各列の８個の端子のうち、同じ行にある一つの端子に個別に接続する。そして各列の全ての端子を導電部材によって全て接続させれば、入力用給電線が接続される出力用給電線の端子として兼用することで、原理的には給電線を最大８系統にまで分岐することができる。もちろん基板実装型の端子台では印刷配線によって給電線を分岐させることができる。しかし実際には、落雷などによって電子機器への給電線に過大な電流が流れる可能性があることから、入力用給電線と出力用給電線とはヒューズを介して接続させる必要があり、そのヒューズを設けることによって１列の端子列中に含まれる全ての端子を出力用給電線の出力用途に供することができなくなる。
【０００８】
ここで具体的に８×２型の端子台を２台用いて２系統の入力用給電線のそれぞれを５系統と３系統の出力用給電線に分岐させる事例を挙げて従来の端子台における問題点について説明する。図５に従来の端子台を用いて２系統の入力用給電線（入力用給電線対）のそれぞれを５系統と３系統の出力用給電線（出力用給電線対）に分岐させたときの配線状態を示した。図５に示したように、各端子台（１ａおよび１ｂ）には、８個の端子２を１列に並べた端子列が２列に並べられており、各端子列における特定の１個の端子（１２１，２２１および２２１，２２２）には入力用給電線対を構成する２本の電線（Ｖａ＋，Ｖａ−およびＶｂ＋，Ｖｂ−）が接続されている。ここでは端子列の一方の端部にある端子（１２１，２２１おおび２２１，２２２）を特定の１個の端子としている。また２列の端子列の内、一方の端子列（図中右側の端子列）に属する端子２については、その特定の１個の端子１２１とその端子１２１に隣接する端子１２２が短絡部材３によって短絡されている。ここでは略Ｕ字状の金属板からなるショートバーを短絡部材３としている。そして特定の端子１２１に隣接する端子１２２と残りの６個の端子２が配線４によって接続されている。さらに他方の端子列（図中左側の端子列）には、特定の端子２２１と隣接する端子２２２とが短絡部材３によって短絡されているとともに、その隣接する端子２２２と残りの６個の端子２のそれぞれとを接続する配線４の途上にヒューズ５が個別に挿入されている。
【０００９】
このように従来の端子台を用いて複数系統の入力用給電線をさらに複数系統の出力用給電線に分岐させる際には入力用給電線の系統数分の端子台が必要となる。
【００１０】
とくに特許文献２に記載されているような１系統の光伝送路と給電線を複数系統に分岐させる装置では、大規模な屋内施設内の各所に配置された移動体通信用のアンテナなどの電子機器に給電線と光伝送路を分配するような用途に供されるため、入力用給電線が１系統のみであると、その入力用給電線に障害が発生して給電停止となった場合、全てのアンテナの動作が停止することになることから、複数系統の入力用給電線を個別に分岐させる構成にすることが望ましい。すなわち、一つの系統の入力用給電線が給電停止となった場合でもいずれかの系統の出力用給電線が活線状態を維持し、いずれかのアンテナを介して屋内施設内の利用者に移動体通信サービスを提供し続けることができることが望ましい。しかし特許文献２に記載されている装置内に複数系統の入力用給電線を導入すれば、その装置にはその系統数分の端子台が必要となり装置が大型化する。もちろん部品点数も多くなりコストアップにも繋がる。なお装置を可能な限り小型にするために、同じ端子数の複数台の端子台を用意せず、各系統の入力用給電線ごとに用意される各端子台の端子数を、それぞれの系統の入力用給電線から分岐させる出力用給電線の系統数に一致させることも考えられるが、一つの装置内に端子数が異なる端子台を用意することになる。そして同一部品を複数用いた場合と比べると部品の調達コストが増加する。このように従来の端子台では、複数系統の入力用給電線のそれぞれを個別に分岐させて出力させようとすると、その系統数分の端子台を用意する必要があり、端子台を収納する筐体が大型化し、より安価に提供することも難しくなる。もちろん特許文献１に記載の装置では、出力用給電線の接続先となる電子機器を保護するために出力用給電線の途上にヒューズを設けることが必須の条件となり、小型化やコストダウンがさらに困難となる。
【００１１】
そこで本発明は、複数系統の入力用給電線対をそれぞれ複数の出力用給電線対に分岐することができる端子台を提供することを目的としている。
【課題を解決するための手段】
【００１２】
上記目的を達成するための主たる発明は、
入力用給電線対を複数の出力用給電線対に分岐させる端子台であって、
所定数の端子が並ぶ第１端子列と、
前記所定数の端子が並ぶ第２端子列と、
前記所定数の端子が並ぶ第３端子列と
を備え、
前記第１端子列は、第１系統の前記入力用給電線対に対応して互いに接続された複数の第１系統用端子と、前記第１系統とは別の第２系統の前記入力用給電線対に対応して互いに接続された複数の第２系統用端子とを含み、
前記第２端子列は、前記第１系統の前記入力用給電線対に対応して互いに接続された複数の第１系統用端子と、前記第２系統の前記入力用給電線対に対応して互いに接続された複数の第２系統用端子とを含み、
前記第３端子列のそれぞれの前記端子は、互いに独立しているとともに、前記第２端子列の前記端子とヒューズを介してそれぞれ接続されており、
前記第１系統の前記入力用給電線対を構成する２本の電線の一方は、前記第１端子列の前記第１系統用端子に接続されており、当該２本の電線の他方は、前記第２端子列の前記１系統用端子に接続されており、
前記第２系統の前記入力用給電線対を構成する２本の電線の一方は、前記第１端子列の前記第２系統用端子に接続されており、当該２本の電線の他方は、前記第２端子列の前記２系統用端子に接続されており、
前記第１系統の複数の前記出力用給電線対のそれぞれを構成する２本の電線の一方は、前記第１端子列の前記第１系統用端子に接続されており、当該２本の電線の他方は、前記第２端子列の前記第１系統用端子と前記ヒューズを介して接続された前記第３端子列の端子にそれぞれ接続されており、
前記第２系統の複数の前記出力用給電線対のそれぞれを構成する２本の電線の一方は、前記第１端子列の前記第２系統用端子に接続されており、当該２本の電線の他方は、前記第２端子列の前記第２系統用端子と前記ヒューズを介して接続された前記第３端子列の前記端子にそれぞれ接続されている
ことを特徴とする端子台である。
【発明の効果】
【００１３】
本発明に係る端子台によれば、複数系統の入力用給電線対をそれぞれ複数の出力用給電線対に分岐することができる。
【図面の簡単な説明】
【００１４】
【図１】本発明の実施例に係る端子台の構造を示す図である。
【図２】実施例に係る端子台の変形形態を示す図である。
【図３】実施例に係る端子台を用いて給電線を分岐させた状態を示す図である。
【図４】本発明の実施例に係る接続箱を示す図である。
【図５】従来の端子台を用いて給電線を分岐させた状態を示す図である。
【発明を実施するための形態】
【００１５】
後述する明細書及び図面の記載から、少なくとも以下の事項が明らかとなる。
【００１６】
入力用給電線対を複数の出力用給電線対に分岐させる端子台であって、
所定数の端子が並ぶ第１端子列と、
前記所定数の端子が並ぶ第２端子列と、
前記所定数の端子が並ぶ第３端子列と
を備え、
前記第１端子列は、第１系統の前記入力用給電線対に対応して互いに接続された複数の第１系統用端子と、前記第１系統とは別の第２系統の前記入力用給電線対に対応して互いに接続された複数の第２系統用端子とを含み、
前記第２端子列は、前記第１系統の前記入力用給電線対に対応して互いに接続された複数の第１系統用端子と、前記第２系統の前記入力用給電線対に対応して互いに接続された複数の第２系統用端子とを含み、
前記第３端子列のそれぞれの前記端子は、互いに独立しているとともに、前記第２端子列の前記端子とヒューズを介してそれぞれ接続されており、
前記第１系統の前記入力用給電線対を構成する２本の電線の一方は、前記第１端子列の前記第１系統用端子に接続されており、当該２本の電線の他方は、前記第２端子列の前記１系統用端子に接続されており、
前記第２系統の前記入力用給電線対を構成する２本の電線の一方は、前記第１端子列の前記第２系統用端子に接続されており、当該２本の電線の他方は、前記第２端子列の前記２系統用端子に接続されており、
前記第１系統の複数の前記出力用給電線対のそれぞれを構成する２本の電線の一方は、前記第１端子列の前記第１系統用端子に接続されており、当該２本の電線の他方は、前記第２端子列の前記第１系統用端子と前記ヒューズを介して接続された前記第３端子列の端子にそれぞれ接続されており、
前記第２系統の複数の前記出力用給電線対のそれぞれを構成する２本の電線の一方は、前記第１端子列の前記第２系統用端子に接続されており、当該２本の電線の他方は、前記第２端子列の前記第２系統用端子と前記ヒューズを介して接続された前記第３端子列の前記端子にそれぞれ接続されている
ことを特徴とする端子台が明らかとなる。
この端子台によれば、複数系統の入力用給電線をそれぞれ複数の出力用給電線に分岐することができる。
【００１７】
前記第１端子列において、前記複数の第１系統用端子は、互いに隣接して配置されるとともに、導電部材によって短絡されており、前記複数の第２系統用端子は、互いに隣接して配置されるとともに、導電部材によって短絡されており、前記第２端子列において、前記複数の第１系統用端子は、互いに隣接して配置されるとともに、導電部材によって短絡されており、前記複数の第２系統用端子は、互いに隣接して配置されるとともに、導電部材によって短絡されていることが望ましい。これにより、導電部材による短絡箇所を変更するだけで、入力用給電線や出力用給電線の系統数を柔軟に設定することができる。
【００１８】
前記第１端子列、前記第２端子列及び前記第３端子列を一体的な筐体に配置した端子台本体と、前記ヒューズ及び前記端子台本体が実装されている配線基板とを含み、前記配線基板には、前記第２端子列の前記端子と前記ヒューズとを接続するための配線と、前記第３端子列の前記端子と前記ヒューズとを接続するための配線とが形成されていることが望ましい。これにより、配線基板に端子台本体を固定するだけで各端子やヒューズなどを容易に配線できる。
【００１９】
前記端子台本体は、目視可能な台紙面を有する標識板によって覆われており、前記台紙面は、前記端子にそれぞれ対応して区分された書き込み領域を有しており、前記標識板は、前記配線基板と対向して配置されるとともに、前記端子台本体から突出した突出領域にて、前記配線基板に立設された柱状部材によって支持されていることが望ましい。これにより、入力用給電線や出力用給電線の接続先（電源や電子機器など）と各端子の対応関係を識別することができる。
【００２０】
前記第１系統の前記入力用給電線対を構成する前記電線の一方が接続された前記第１端子列の前記第１系統用端子に、前記出力用給電線対を構成する前記電線の一方が接続されており、前記前記第１系統の前記入力用給電線対を構成する前記電線の他方が接続された前記第２端子列の前記第１系統用端子と前記ヒューズを介して接続された前記第３端子列の前記端子に、前記出力用給電線対を構成する前記電線の他方が接続されていることが望ましい。これにより、入力用給電線と接続された端子を出力用として有効に利用できる。
【００２１】
内部に導入した入力用給電線対から分岐させた複数の出力用給電線対を外部に導出する接続箱であって、
筐体と、
前記筐体の内部に配置され、所定数の端子が並ぶ第１端子列と、前記所定数の端子が並ぶ第２端子列と、前記所定数の端子が並ぶ第３端子列とを備えた端子台と
を備え、
前記第１端子列は、第１系統の前記入力用給電線対に対応して互いに接続された複数の第１系統用端子と、前記第１系統とは別の第２系統の前記入力用給電線対に対応して互いに接続された複数の第２系統用端子とを含み、
前記第２端子列は、前記第１系統の前記入力用給電線対に対応して互いに接続された複数の第１系統用端子と、前記第２系統の前記入力用給電線対に対応して互いに接続された複数の第２系統用端子とを含み、
前記第３端子列のそれぞれの前記端子は、互いに独立しているとともに、前記第２端子列の前記端子とヒューズを介してそれぞれ接続されており、
前記第１系統の前記入力用給電線対を構成する２本の電線の一方は、前記第１端子列の前記第１系統用端子に接続されており、当該２本の電線の他方は、前記第２端子列の前記１系統用端子に接続されており、
前記第２系統の前記入力用給電線対を構成する２本の電線の一方は、前記第１端子列の前記第２系統用端子に接続されており、当該２本の電線の他方は、前記第２端子列の前記２系統用端子に接続されており、
前記第１系統の複数の前記出力用給電線対のそれぞれを構成する２本の電線の一方は、前記第１端子列の前記第１系統用端子に接続されており、当該２本の電線の他方は、前記第２端子列の前記第１系統用端子と前記ヒューズを介して接続された前記第３端子列の前記端子にそれぞれ接続されており、
前記第２系統の複数の前記出力用給電線対のそれぞれを構成する２本の電線の一方は、前記第１端子列の前記第２系統用端子に接続されており、当該２本の電線の他方は、前記第２端子列の前記第２系統用端子と前記ヒューズを介して接続された前記第３端子列の前記端子にそれぞれ接続されている
ことを特徴とする接続箱が明らかとなる。
この接続箱によれば、複数系統の入力用給電線をそれぞれ複数の出力用給電線に分岐することができる。
【００２２】
光ファイバと前記出力用給電線対とを組にした複合ケーブルを前記筐体の外部に導出することが望ましい。複数系統の入力用給電線のそれぞれを分岐させつつ、光ケーブル中の光ファイバを給電線とともに分配できる。
【００２３】
前記筐体は、前記所定数の端子の並ぶ方向の両端面のそれぞれに、前記光ファイバを収容した光ケーブルを挿通するための主光ケーブル用孔と、前記入力用給電線対を収容した給電ケーブルを挿通するための少なくとも２つの給電ケーブル用孔と、前記複合ケーブルを挿通するための複数の複合ケーブル用孔とを有することが望ましい。これにより、既設の各種ケーブルの敷設状態に柔軟に対応して設置することができる。
【００２４】
つぎに本発明の実施例について、添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００２５】
＝＝＝第１の実施例＝＝＝
＜端子台＞
本発明の第１の実施例として配線基板に実装された８×３型の端子台を挙げる。図１に当該端子台を示した。図１（Ａ）は端子台１の外観を示す斜視図であり、図１（Ｂ）は端子台１における端子２の配列状態を示す図である。ここで８×３型の端子台１について、端子２の列方向を左右方向とし、行方向を前後方向とする。また前後左右の各方向と直交する方以降を上下方向とする。そして図１（Ａ）を上右前方からの斜視図として上下左右前後の各方向を規定することとする。図１（Ａ）に示したように、端子台１は端子台上方と前方が開放した箱形の基台１１に２４個の独立した端子３が８行３列に配置されてなる端子台本体１０が下面に印刷配線が形成された配線基板１２上に実装されてなる。端子台本体１０において、左右に並んだ８個の端子２からなる１列分の端子列に属する各端子２は、基台１１に形成され隔壁によって区画されているとともに、三つの端子列が前方から後方に向かって昇順に階段状に配置されている。また各端子２は前後方向に千鳥状となるように配置されている。そして配線基板１２の上面において、端子台本体１０の後方の領域には８個のヒューズ５が左右方向に並んで実装されている。このように端子台本体１０やヒューズ５を配線基板１２上に実装することで、端子２とヒューズ５間の配線の引き回しが不要となり、筐体内に端子台１を設置する際に、その設置スペースを小さくすることができる。また配線基板１２には適所に孔を形成できるため、その孔を用いて筐体内に配線基板をねじ留めすることができ、端子台を容易に設置することができる。
【００２６】
ここに示した端子台１が備える端子２は一般に「ねじ式」と呼ばれるものであり、図５に示した従来の端子台（１ａ，１ｂ）における端子２と同様のものである。周知のごとく、ねじ式の端子２は上下方向に積層された二枚の金属板を上下方向を軸としたナットによって基台１１に固定する構造となっている。入力用および出力用の給電線を構成する電線６は先端に圧着端子７が取り付けられており、その圧着端子７が端子２のナットに締結されて電線６が端子２に接続される。左右に隣接する端子間（２−２）を短絡する際には、導電部材３を端子間（２−２）に架設する。本実施例では図５にも示した略Ｕ字状の金属板からなるショートバーを導電部材３（以下、ショートバー３）としている。なお前後方向にスリットを有する略Ｕ字状のショートバー３を用いて隣接する端子同士（２−２）を短絡させる際には、略Ｕ字の二つの端部のそれぞれを互いに左右に隣接し合う端子２のそれぞれにおける２枚の金属板の層間に挿入させつつナットを締結すればよい。
【００２７】
なお以下では、２４の端子を個別に特定できるように、図１（Ｂ）に示したように後方の端子列１３ａから前方の端子列１３ｃに向かって順に便宜的にＡ列１２ａ、Ｂ列１３ｂ、Ｃ列１３ｃと称することとするとともに、各列（１３ａ〜１３ｃ）における左端の端子（Ａ１，Ｂ１，Ｃ１）を１行目、右端の端子（Ａ８，Ｂ８，Ｃ８）を８行目として、端子列を示すＡ〜Ｃの記号と行を示す１〜８の番号でＡ１〜Ａ８、Ｂ１〜Ｂ８、Ｃ１〜Ｃ８と表すこととする。例えば、最前列（Ａ列１３ａ）の右端の端子２および２列目（Ｂ列１３ｂ）の６行目（左から３番目）の端子２は、端子Ｃ８および端子Ｂ６と称することとする。そして図１（Ｂ）を含め、以下に示す各図に示す端子では、必要に応じて上記呼称方法と同様の符号を付記した。以下ではこの符号を用いながら第１の実施例に係る端子台１を用いた入力用給電線の分岐方法について説明する。
【００２８】
＜入力用給電線の分岐＞
図２に２系統の入力用給電線対をそれぞれ５系統と３系統の出力用給電線対に分岐する際の各端子２と電線５およびショートバーの接続状態の一例を示した。第１の実施例に係る端子台１では、配線基板に形成された印刷配線４により、Ｂ列の端子列１３ｂとＡ列の端子列１３ａにおける同じ行の端子同士（Ｂｋ−Ａｋ：ｋ＝１〜８）がヒューズ５を介して接続されている。
【００２９】
２系統の入力用給電線対（Ｖａ，Ｖｂ）は、それぞれ個別に所定電圧（例えば直流４８Ｖ）の電源に接続されている。また、２系統の入力用給電線対は、それぞれ２本一組の入力用給電線から構成されている。一方の系統の入力用給電線対（Ｖａ）を構成する２本の電線（入力用給電線）の一方は０ｖ電位の電線（以下、マイナス線Ｖａ−）であり、他方は所定のプラス電位の電線（以下、プラス線Ｖａ＋）である。また、他方の系統の入力用給電線対（Ｖｂ）を構成する２本の電線（入力用給電線）の一方は０ｖ電位の電線（以下、マイナス線Ｖｂ−）であり、他方は所定のプラス電位の電線（以下、プラス線Ｖｂ＋）である。
【００３０】
一方の系統の入力用給電線対（Ｖａ）は、５系統の出力用給電線対（Ｖｃ）に分岐されている。それぞれの出力用給電線対（Ｖｃ）は、２本一組の出力用給電線から構成されている。出力用給電線対（Ｖｃ）を構成する２本の電線（出力用給電線）の一方は０ｖ電位の電線（以下、マイナス線Ｖｃ−）であり、他方は所定のプラス電位の電線（以下、プラス線Ｖｃ＋）である。
【００３１】
他方の系統の入力用給電線対（Ｖｂ）は、３系統の出力用給電線対（Ｖｄ）に分岐されている。それぞれの出力用給電線対（Ｖｄ）は、２本一組の出力用給電線から構成されている。出力用給電線対（Ｖｄ）を構成する２本の電線（出力用給電線）の一方は０ｖ電位の電線（以下、マイナス線Ｖｄ−）であり、他方は所定のプラス電位の電線（以下、プラス線Ｖｄ＋）である。
【００３２】
入力用給電線対（Ｖａ）を構成するマイナス線Ｖａ−は端子Ｃ１と接続されており、プラス線Ｖａ＋は端子Ｂ１に接続されている。別系統の入力用給電線対（Ｖｂ）を構成するマイナス線Ｖｂ−は端子Ｃ８と接続されており、プラス線Ｖｂ＋は端子Ｂ８に接続されている。
【００３３】
２系統の入力用給電線対（Ｖａ，Ｖｂ）のそれぞれのマイナス線（Ｖａ−，Ｖｂ−）が接続されているＣ列１３ｃの端子Ｃ１〜Ｃ８において、左端から連続する５個の端子Ｃ１〜Ｃ５は、互いに隣接する端子（Ｃ１−Ｃ２，Ｃ２−Ｃ３など）とショートバー３によって短絡されることで電気的に接続されている。さらに同じＣ列１３ｃにおいて連続する３個の端子Ｃ６〜Ｃ８も同様にして２個のショートバー３を介して互いに接続されている。そしてＣ列１３ｃの全ての端子Ｃ１〜Ｃ８には出力用給電線対を構成する２本の電線の一方の電線（Ｖｃ−，Ｖｄ−）が接続されている。
【００３４】
２系統の入力用給電線対（Ｖａ，Ｖｂ）のそれぞれのプラス線（Ｖａ＋，Ｖｂ＋）が接続されている端子Ｂ１〜Ｂ８においても、左端から連続する５個の端子Ｂ１〜Ｂ５が、互いに隣接する端子とショートバー３によって短絡されることで電気的に接続されている。また、同じＢ列１３ｂにおいて連続する３個の端子Ｂ６〜Ｂ８も同様にして２個のショートバー３を介して互いに接続されている。一方、各系統のプラス線（Ｖａ＋およびＶｂ＋）についてはヒューズ５を介して出力用給電線（Ｖｃ＋およびＶｄ＋）に接続させる必要があることから、このＢ列１３ｂの端子（Ｂ１〜Ｂ８）には出力用給電線が１本も接続されていない。そしてＢ列１３ｂの各端子（Ｂ１〜Ｂ８）とヒューズ５を介して接続されているＡ列１３ａの全ての端子（Ａ１〜Ａ８）に出力用給電線のプラス線（Ｖｃ＋およびＶｄ＋）が接続されている。このようにして第１の実施例に係る端子台１では、１台だけで２系統の入力用給電線対（Ｖａ，Ｖｂ）のそれぞれを個別に出力用給電線に分岐させて出力させることが可能となる。
【００３５】
また１列中の端子数が全分岐数と同じ端子台を用いれば、端子を余すことなく利用することができる。もちろん全分岐数が列方向の端子数以内であれば、３系統以上の入力用給電線対を分岐させることも可能となる。例えば３系統の入力用給電線対をそれぞれ２系統、３系統、３系統の出力用給電線対に分岐させる場合には、各系統の入力用給電線対の２本の電線を端子Ｃ１とＢ１、端子Ｃ３とＢ３、および端子Ｃ８とＢ８（またはＣ６とＣ６）に接続し、Ｃ列１３ｃとＢ列１３ｂのそれぞれにおいて、１行目と２行目の端子（Ｃ１−Ｃ２，Ｂ１−Ｂ２）、３行目から５行目の端子（Ｃ３〜Ｃ５，Ｂ３〜Ｂ５）および６行目から８行目の端子（Ｃ６〜Ｃ８，Ｂ６〜Ｂ８）をショートバー３を介して接続させればよい。そしてＣ列１３ｃとＡ列１３ａの全端子（Ｃ１〜Ｃ８，Ａ１〜Ａ８）に出力用給電線の電線を接続すればよい。なお図２に示した例では入力用給電線のプラス線をＢ列に属する二つの端子に接続せず、Ａ列における二つの端子に接続してもよい。この場合はＡ列における適宜な端子同士をショートバーによって接続し、Ｂ列の全端子に出力用給電線のプラス線を接続すればよい。
【００３６】
＜端子の識別について＞
ところで第１の実施例に係る端子台における各端子は、図１（Ｂ）や図２に示したＡ１〜Ｃ８の符号で識別されていたが、この端子の識別標記だけでは、入力用給電線や出力用給電線の接続先（電源や電子機器など）と各端子の対応関係を識別することができない。そのため特定の電源や分岐先にある電子機器の保守や点検を行う場合などにおいて、端子から電線を取り外す際、その取り外すべき端子を特定することができない。そこで第１の実施例に係る端子台では各端子の接続先が識別できる標識板を取り付けることができるようになっている。また接続先が変更した際には容易にその標識板を交換することができるようにもなっている。図３に標識板２０が取り付けられた状態の端子台１を示した。
図３に示したように透明な樹脂製の平板からなる標識板２０が端子台本体１０の上面を覆っている。標識板２０の上面には台紙２１が貼着されており、その台紙２１は各端子に対応する矩形の書き込み領域２２によって区分されている。また標識板２０は、端子台本体１０の上面領域に対して左右方向に突出する領域２３を有し、その突出した領域２３が配線基板１２の上面と対面し、この突出した領域（以下、対面領域２３）が配線基板１２上の左端側と右端側のそれぞれに立設された支柱（２４Ｌ，２４Ｒ）によって支持されている。この例では標識板２０における上記対面領域２３に上下方向に貫通する孔２５が形成されており、左方の支柱２４Ｌについては上端側に雌ねじ２７Ｌが形成されて標識板２０の上面からユリアねじ２６がこの雌ねじ２７Ｌにねじ留めされている。また右方の支柱２４Ｒについては上端に雄ねじ２７Ｒが上方に突出して形成されて、この雄ねじ２７Ｒが標識板２０の上記孔２５に挿通されている。それによって標識板２０が端子台本体１０の上面に位置決めされた状態で固定されている。このように第１の実施例に係る端子台１では配線基板１２を利用して標識板２０を容易に着脱自在に取り付けることができるようになっている。
【００３７】
＜小括＞
上記の第１の実施例では、図２に示すように、端子台１は、Ａ列〜Ｃ列の端子列１３ａ〜１３ｃを備えている。Ｃ列の端子列１３ｃ（第１端子列に相当）は、入力用給電線対Ｖａ（第１系統の入力用給電線対に相当）に対応して互いに接続された５個の端子Ｃ１〜Ｃ５（第１系統用端子に相当）と、入力用給電線対Ｖｂ（第２系統の入力用給電線対に相当）に対応して互いに接続された３個の端子Ｃ６〜Ｃ８（第２系統用端子に相当）とを有する。また、Ｂ列の端子列１３ｂ（第２端子列に相当）は、入力用給電線対Ｖａに対応して互いに接続された５個の端子Ｂ１〜Ｂ５（第１系統用端子に相当）と、入力用給電線対Ｖｂに対応して互いに接続された３個の端子Ｃ６〜Ｃ８（第２系統用端子に相当）とを有する。Ａ列の端子列１３ａのそれぞれの端子は、互いに独立しているとともに、Ｂ列の端子とヒューズ５を介してそれぞれ接続されている。  
そして、入力用給電線対（Ｖａ）を構成するマイナス線Ｖａ−は端子Ｃ１（第１端子列の第１系統用端子に相当）と接続されており、プラス線Ｖａ＋は端子Ｂ１（第２端子列の第１系統用端子に相当）に接続されている。別系統の入力用給電線対（Ｖｂ）を構成するマイナス線Ｖｂ−は端子Ｃ８（第１端子列の第２系統用端子に相当）と接続されており、プラス線Ｖｂ＋は端子Ｂ８（第２端子列の第２系統用端子に相当）に接続されている。また、出力用給電線対（Ｖｃ）を構成するマイナス線Ｖｃ−は、端子Ｃ１〜Ｃ５（第１端子列の第１系統用端子に相当）に接続されており、プラス線Ｖｃ＋は、端子Ｂ１〜Ｂ５（第２端子列の第１系統用端子に相当）とヒューズ５を介して接続されたＡ列の端子Ａ１〜Ａ５に接続されている。別系統の出力用給電線対（Ｖｄ）を構成するマイナス線Ｖｄ−は、端子Ｃ６〜Ｃ８（第１端子列の第２系統用端子に相当）に接続されており、プラス線Ｖｄ＋は、端子Ｂ６〜Ｂ８（第２端子列の第２系統用端子に相当）とヒューズ５を介して接続されたＡ列の端子Ａ６〜Ａ８に接続されている。  
上記の構成の端子台１により、２系統の入力用給電線対（Ｖａ，Ｖｂ）のそれぞれを複数の出力用給電線対（Ｖｃ，Ｖｄ）に分岐させることを実現できる。
【００３８】
また、上記の第１の実施例では、Ｃ列の５個の端子Ｃ１〜Ｃ５（第１端子列の第１系統用端子に相当）は、互いに隣接して配置されるとともに、ショートバー３（導電部材に相当）によって短絡されている。同様に、Ｃ列の３個の端子Ｃ６〜Ｃ８（第１端子列の第２系統用端子に相当）、Ｂ列の５個の端子Ｂ１〜Ｂ５（第２端子列の第１系統用端子に相当）、及びＢ列の３個の端子Ｂ６〜Ｂ８（第２端子列の第２系統用端子に相当）も、それぞれ互いに隣接して配置されるとともに、ショートバー３によって短絡されている。これにより、ショートバー３による短絡箇所を変更するだけで、入力用給電線や出力用給電線の系統数を柔軟に設定変更することができる。
【００３９】
また、上記の第１の実施例の端子台１は、Ａ列〜Ｃ列の端子列を一体的な基台１１に配置した端子台本体１０と、ヒューズ５や端子台本体１０を実装した配線基板１２とを有しており、配線基板１２には、Ｂ列の端子Ｂ１〜Ｂ８とヒューズ５の一端とをそれぞれ接続するための配線４と、ヒューズ５の他端とＡ列の端子Ａ１〜Ａ８とをそれぞれ接続するための配線４とが形成されている。このため、このような配線４を有する配線基板１２に端子台本体１０を固定すれば、各端子２やヒューズ５などを容易に配線できる。
【００４０】
また、上記の第１の実施例では、図３に示すように、端子台本体１０が標識板２０によって覆われている。また、標識板２０は、端子２にそれぞれ対応して区分された書き込み領域２２を有している。また、標識板は、配線基板１２と対向して配置されるとともに、端子台本体１０から突出した突出領域２３にて、配線基板１２から立設された支柱２４（柱状部材に相当）によって支持されている。これにより、入力用給電線や出力用給電線の接続先（電源や電子機器など）と各端子との対応関係を容易に識別することができる。また、特定の電源や分岐先にある電子機器の保守や点検を行う場合などにおいて、端子から電線を取り外す際、その取り外すべき端子を容易に特定することができる。
【００４１】
また、上記の第１の実施例では、図２に示すように、入力用給電線のマイナス線Ｖａ−が接続された端子Ｃ１に、出力用給電線対を構成するマイナス線Ｖｃ−が接続されている。また、入力用給電線のプラス線Ｖａ＋が接続された端子Ｂ１とヒューズ５を介して接続されたＡ列の端子Ａ１に、出力用給電線対を構成するプラス線Ｖｃ＋が接続されている。これにより、入力用給電線と接続された端子を出力用として有効に利用できる。但し、出力用給電線の分岐数（系統数）が少なくても良い場合には、入力用給電線の接続された端子に出力用給電線を接続しなくても良い。
【００４２】
＝＝＝第２の実施例＝＝＝
＜給電線光ケーブル接続箱＞
つぎに本発明の第２の実施例として、上述した第１の実施例係る端子台の具体的な利用形態を挙げる。ここでは屋内施設の各所に設置された移動体通信用のアンテナなどに対し、光ケーブルと給電線を分配するための接続箱を挙げる。図３に第２の実施例に係る当該接続箱（以下、接続箱）を示した。ここでは接続箱１００の筐体１０１の内部における給電線と光ファイバの配線状態を示した。なおこの図４では一部の配線を省略している。
【００４３】
＜筐体の構造＞
ここで図１〜図３に示した端子台における上下左右前後の各方向を基準として接続箱１００における各方向を規定すると、ここに示した接続箱１００は、上下方向に扁平な矩形箱状の筐体１０１内に、第１の実施例と同様の端子台（１Ｌ，１Ｒ）や融着トレイ１０２を収納している。ここでは２台の端子台（１Ｌ，１Ｒ）が筐体１０１の後方に左右対称となる位置に並んで配置されている。筐体１０１の前方には融着トレイ１０２が配置されている。この例では、多数本の光ファイバを収容した状態で敷設する幹線光ケーブル（光主ケーブル）３０から分岐された１６本の光ファイバ心線３１のそれぞれは、出力用給電線の分岐先となる１６カ所の移動体通信アンテナから案内されてきた外被付きの単心の光ファイバ心線（以下、単心光コード４４）に融着されており、融着トレイ１０２は、融着箇所や主光ケーブル３０中から引き出されなかった残りの光ファイバ（以下、通過芯線３２）、および融着箇所から筐体１０１外に導出されるまで巻回された状態にある余剰分の単心光コード４４を保護する。
【００４４】
筐体１０１の左端面１０３と右端面１０４）には、内外を連絡する１１個の孔（１０５〜１０７）が左右対称となる位置に形成されている。具体的には筐体１０１の左右の端面（１０３，１０４）のそれぞれに光主ケーブル３０を筐体１０１内に導入するための光主ケーブル用孔１０５が１箇所ずつ、１系統分の入力用給電線対が挿通されている給電ケーブル（５１，５２）を導入するための給電ケーブル用孔１０６が２箇所ずつ、および１本の単心光コード４４と１系統分の出力用給電線（４１，４２）を組にして各所に配線するためのケーブル（複合ケーブル４０）が挿通される複合ケーブル用孔１０７が８箇所ずつ形成されている。また左右両端面（１０３，１０４）における８個の複合ケーブル孔１０７は前方から後方に向かって上下に互い違いとなるように千鳥配置されている。
【００４５】
筐体１０１の底面１０８には当該筐体１０１の左右両端面（１０３，１０４）に形成された各孔（１０５〜１０７）に挿通された各ケーブル（３０，４０，５０）を固定するためのケーブル把持具１０９、光ファイバが挿通されるケーブル（３０，４０）におけるテンションメンバ（ＴＭ３３，４５）を固定するためのＴＭ把持具１１０を適所に配置するためのＴＭ支持ベース１１１などが取り付けられている。ケーブル把持具１０９は前後方向に延長する帯状の金属板からなり、前端と後端がそれぞれクランク状となるように、下方に屈曲されつつ前方と後方に向かって屈曲されてそのクランクの先端がねじ止めされている。それによって帯状の領域が筐体１０１の底面１０８から浮いた状態となる。またケーブル把持具１０９は、左右両端側に２列ずつ並列に配置されており、左右両端面（１０５，１０６）側となる外方の列については主光ケーブル用孔１０５、千鳥配置された上段の４つの複合ケーブル用孔１０７、および給電線用孔１０６のそれぞれに対応して前後方向に３箇所に配置されている。そして帯状の各ケーブル把持具１０９には、筐体１０１の内方に向かう縁辺にＴ字状の突起１１２が形成され、各ケーブル（３０，４０，５０）は、そのＴ字状の突起１１２に結束バンド１１３によって取り付けられている。
【００４６】
ＴＭ把持具１１０は、柱状のスペーサーとその上端にねじ止めされるナットから構成され、スペーサーの下端がＴＭ支持ベース１１１上に立設固定されている。そして各ケーブル（３０，４０，５０）からその延長方向に沿って筐体１０１の内方に露出されたＴＭ（３３，４５）は、ＴＭ把持具１１０におけるスペーサーの上端とナットの頭部との間に狭持されることで固定される。なお給電ケーブル５０および複合ケーブル４０にはプラス線（５１および４１）とマイナス線（５２および４２）の電線に加え、接地用の電線（アース線５３および４３）も挿通されており、そのアース線（５３，４３）を固定して接地するための金属平板からなるアース板１１４が左右のＴＭ支持ベース１１１のそれぞれの上に積層された状態で取り付けられている。また筐体１０１の左右の２カ所に離間して配置されたアース板間（１１４−１１４）に何らかの理由によって双方の間に電位差が発生しないように、双方のアース板（１１４−１１４）がアース線１１５によって接続されている。
【００４７】
＜配線状態＞
次に接続箱の筐体内における光ファイバや各種電線の配線状態について説明する。図４では、接続箱１００の筐体１０１内の単心光コード４４、プラス線（４１，５１）、マイナス線（４２，５２）、およびアース線（４３，５３，１１５）のそれぞれを異なる線種やハッチングによって示した。ここでは単心光コード４４を太線とし、電線についてはプラス線（４１，５１）を編み目、マイナス線（４２，５２）を粗い網点、およびアース線（４３，５３，１１５）を細かい網点のハッチングで示した。またショートバー３については斜線のハッチングで示した。なお右方の端子台１Ｒについてはショートバー３による各端子２の短絡状態を把握しやすいように、各端子２に接続されている出力用給電線（４１，４２）を省略している。
【００４８】
まず光ファイバの配線状態について説明すると、主光ケーブル３０は所謂「ユニット型光ファイバケーブル」であり、単心の光ファイバ心線を所定心数（例えば６心）集合させたユニットをＴＭ３３の周囲に配置させた状態で一括してシース内に挿通させた構造を有している。主光ケーブル３０は筐体１０１の右端面１０４の主光ケーブル用孔１０５から導入されつつ、筐体１０１内を左右方向に横断して左端面１０３の主光ケーブル用孔１０５から導出されている。そして筐体１０１の内部ではシースが除去され、右側のシースの開口３４から適宜なユニットに挿通されていた合計１６本の光ファイバ心線３１が取り出される。残った通過芯線３２については左端面１０３の光主ケーブル３０内に挿通されて、例えば他の接続箱まで敷設される。また左右８系統ずつの合計１６本の複合ケーブル４０のそれぞれから単心光コード４４が筐体１０１内に導入され、各単心光コード４４の光ファイバが主光ケーブル３０から取り出された１６本の光ファイバ３１のそれぞれと個別に融着されている。それによって主光ケーブル３０内に収容されている多数の光ファイバから分岐された１６本の光ファイバ３１が複合ケーブル４０によって各所に配線される。
【００４９】
入力用給電線（５１，５２）については、筐体１０１の左端面１０３および右端面１０４から２系統ずつ導入された給電ケーブル５０内に収容されているプラス線５１とマイナス線５２が左方の端子台１Ｌおよび右方の端子台１Ｒを接続先として、各接続先の端子台（１Ｌ，１Ｒ）の所定の端子２に圧着端子を用いて接続されている。この例では、筐体１０１の右端面１０４から導入される２本の給電ケーブル（５０ＲＦ，５０ＲＢ）の内、後方の給電ケーブル５０ＲＢにおけるプラス線５１ＲＢおよびマイナス線５２ＲＢはそれぞれ右方の端子台１Ｒにおける端子Ｂ１および端子Ｃ１に接続され、前方の給電ケーブル５０ＲＦにおけるプラス線５１ＲＦおよびマイナス線５２ＲＦはそれぞれ右方の端子台１Ｒにおける端子Ｂ８および端子Ｃ８に接続されている。
【００５０】
筐体１０１の左端面１０３から導入される２本の給電ケーブル（５０ＬＦ，５０ＬＢ）におけるプラス線（５１ＬＦ，５１ＬＢ）とマイナス線（５２ＬＦ，５２ＬＢ）は、右端面１０４から導入される２本の給電ケーブル（５０ＲＦ，５０ＲＢ）におけるプラス線（５１ＲＦ，５１ＲＢ）とマイナス線（５２ＲＦ，５２ＲＢ）に対して左右対称となるように接続されている。すなわち後方の給電ケーブル５０ＬＢのプラス線５１ＬＢおよびマイナス線５２ＬＢがそれぞれ左方の端子台の端子Ｂ８および端子Ｃ８に接続され、前方の給電ケーブル５０ＬＦのプラス線５１ＬＦおよびマイナス線５２ＬＦがそれぞれ左方の端子台の端子Ｂ１および端子Ｃ１に接続されている。また給電ケーブル５０に収容されているアース線５３については先端に圧着端子が取り付けられて、その圧着端子がアース板１１４における至近の位置にあるナットにねじ止めされている。
【００５１】
各端子台（１Ｌ，１Ｒ）では、Ｃ列の全端子Ｃ１〜Ｃ８に出力用給電線対のマイナス線４２が接続され、Ｂ列の各端子Ｂ１〜Ｂ８とヒューズ５を介して接続されている端子Ａ１〜Ａ８に出力用給電線対のプラス線４１が接続されている。そしてＡ列とＣ列の同じ行にある端子（Ａｋ，Ｃｋ：ｋ＝１〜８）に接続されているプラス線４１とマイナス線４２を１系統分の出力用給電線対として、筐体１０１の左端面１０３および右端面１０４から導入されている複合ケーブル４０に個別に挿通される。それによって各複合ケーブル４０によって１系統分の出力用給電線対（４１，４２）と単心光コード４４が各所に配線される。なお図示した例では、各端子台（１Ｌ，１Ｒ）において、Ｂ列とＣ列の１〜４行目の端子（Ｂ１〜Ｂ４，Ｃ１〜Ｃ４）、および５〜８行目の端子（Ｂ５〜Ｂ８，Ｃ５〜Ｃ８）がショートバー３によって接続されており、４系統の入力用給電線対（５１ＬＦ−５２ＬＦ，５１ＬＢ−５２ＬＢ，５１ＲＦ−５２ＲＦ，５１ＲＢ−５２ＲＢ）がそれぞれ４系統の出力用給電線対（４１，４２）に分岐されている。
【００５２】
このように第２の実施例に係る接続箱では、第１の実施例に係る端子台を備えて、１台の端子台で複数系統の入力用給電線対をさらに複数系統の出力用給電線対に分岐させることができ、その分岐させた各系統の出力用給電線対を１系統分の光ケーブルとともに各所に配線することができる。また接続箱は、筐体の左右両端面から主光ケーブル、給電ケーブル、および複合ケーブルを導入することができ、既設の各種ケーブルの敷設状態に柔軟に対応して設置することができる。特に光ファイバを収納したケーブルについては屈曲によって伝送損失が生じることから、従来の接続箱ではその接続箱の周囲あるいは接続箱に至るケーブルの敷設経路上にケーブルの引き回しスペースを大きく取る必要があった。しかし本実施例の接続箱では設置場所の周囲で既設のケーブルを複雑に引き回す必要が無く、ケーブルの引き回しスペースを小さくすることができる。
【００５３】
＝＝＝その他の実施例＝＝＝
上述の実施例は、本発明の理解を容易にするためのものであり、本発明を限定して解釈するためのものではない。本発明はその趣旨を逸脱することなく、変更・改良され得ると共に、本発明にはその等価物が含まれることは言うまでもない。例えば、上記実施例に係る端子台の基台や端子の形状や構造、各端子間の短絡方式、ヒューズの実装方法などは適宜に変更可能である。また上記実施例に係る接続箱における端子台の数や入力用給電線や出力用給電線の系統数、および各端子台における入力用給電線に対する出力用給電線の分岐数についても適宜に変更可能である。接続箱の筐体に複数形成されている給電ケーブル用孔や複合ケーブル用孔のうち利用されない孔があってもよい。
【符号の説明】
【００５４】
１，１ａ，１ｂ，１Ｌ，１Ｒ  端子台、
２，Ａ１〜Ａ８，Ｂ１〜Ｂ８，Ｃ１〜Ｃ８  端子、３  短絡部材（ショートバー）、
４  配線、５  ヒューズ、６  電線、７  圧着端子、１０  端子台本体、
１２  配線基板、１３ａ〜１３ｃ  端子列、２０  標識板、３０  主光ケーブル、３１、光ファイバ心線、３２  通過芯線、３３，４５  テンションメンバ（ＴＭ）、
４０  複合ケーブル、４１  出力用給電線のプラス線、
４２  出力用給電線のマイナス線、４３，５３，１１５  アース線、
５０  給電ケーブル、５１  入力用給電線のプラス線、
５２  入力用給電線のマイナス線、１００  接続箱、１０１  筐体、
１０２  融着トレイ、１０５  主光ケーブル用孔、１０６  給電ケーブル用孔、
１０７  複合ケーブル用孔、１０９  ケーブル把持具、１１０  ＴＭ把持具、
１１４  アース板
【図１】
2017092005.tif 000003
【図２】
2017092005.tif 000004
【図３】
2017092005.tif 000005
【図４】
2017092005.tif 000006
【図５】
2017092005.tif 000007